(57)【要約】【課題】眼鏡をかけて激しい運動をしたり、激しい仕事又は高所での作業をする場合に於いて、眼鏡がずれたり外れたりする事が多く、又、身体に障害のある場合、例えば、ダウン症や小児麻痺の人の場合も眼鏡がズレ易かったり、きちんと目にあわせることが困難で有ったりする。【解決手段】眼鏡を動かないように固定する為のストッパー（１）で有り、柔軟性を有する樹脂製で、その形状は円筒形状で有り、その周壁面（１２）には眼鏡のテンプ（１０）ルが嵌合する第一孔（１４）が反対側の周壁にまで貫通され、そして前記第一孔と非同一円周上であって、ほぼ９０度離れた、ヘッドバンド（１５）嵌合用の第二孔（１６）がこれも反対側の周壁にまで貫通された事を特徴とする連結型ストッパーの提供。【選択図】図１
2014238562.tif 000002
【特許請求の範囲】
【請求項１】
眼鏡を動かないように固定する為のストッパーで有り、柔軟性を有する樹脂製で、その形状は円筒形状で有り、その周壁面には眼鏡のテンプルが嵌合する第一孔が反対側の周壁にまで貫通され、そして前記第一孔と非同一円周上であって、ほぼ９０度離れた、ヘッドバンド嵌合用の第二孔がこれも反対側の周壁にまで貫通された事を特徴とする連結型ストッパー。
【発明の詳細な説明】
【技術分野】
【０００１】  本発明は眼鏡を動かないように固定するための頭部近辺へ装着する為の眼鏡ストッパーに関する。
【背景技術】
【０００２】  従来、眼鏡をかけて激しい運動をしたり、激しい仕事又は高所での作業をする場合に於いて、眼鏡がずれたり外れたりする事が多かった。高所での作業に於いてはなにが関係するのかといえば、高所に於いては手で眼鏡を直したりする事が困難である為あらかじめ少しも動かないようにして置きたいからである。又、身体に障害のある場合、例えば、ダウン症や小児麻痺の人の場合も眼鏡がズレ易かったり、きちんと目にあわせることが困難で有ったりする場合が多かった。そのために、眼鏡が動かないようにする為に、頭部でも眼鏡を支える物が提案されて来ていた。例えば、特許文献１の実開平７−１４１６号の様な物や、特許文献２の特開２００７−３１５７４２の様なものも提案されていた。【０００３】
【特許文献１】実開平７−１４１６号
【特許文献２】特開２００７−３１５７４２号
【発明の開示】
【発明が解決しようとする課題】
【０００４】  しかしながら、上記実開平７−１４１６号に於いては、今迄使用していた眼鏡をそのままでは使用できず、特別な形状の眼鏡をデザインして誂えなければならず高価についた。又、特開２００７−３１５７４２号に於いても同様に特別な形状の眼鏡本体が要求され、今迄使用していた眼鏡又は市販の眼鏡枠とは別に注文しなければならず非常に高価についた。
【課題を解決するための手段】
【０００５】  上記課題を解決するために、本発明に於いては、眼鏡を動かないように固定する為のストッパーで有り、柔軟性を有する樹脂製で、その形状は円筒形状で有り、その周壁面には眼鏡のテンプルが嵌合する第一孔が反対側の周壁にまで貫通され、そして前記第一孔と非同一円周上であって、ほぼ９０度離れた、ヘッドバンド嵌合用の第二孔がこれも反対側の周壁にまで貫通された事を特徴とする連結型ストッパーの提供を図った。
【発明の効果】
【０００６】  上記本発明の連結型ストッパーを使用する事により、樹脂製の部品であるので非常に安価に製造でき、今迄使用していた眼鏡又は、今販売されている市販の眼鏡を使用する事が出来るので非常に安価に提供できる事となった。又、その値段の割に眼鏡が目の前、側頭部、頭部全体でしっかりそして簡単に止める事が可能となった。激しい運動、高所での作業に於いても外れる心配が殆ど無くなった。それと、身体に障害のある方、例えば、ダウン症、小児麻痺の人の為の眼鏡保持具としても安価に安心して使用してもらえる事が可能となった。
【図面の簡単な説明】
【０００７】
【図１】本発明の物品の全体斜視図
【図２】本発明の物品に眼鏡とヘッドバンドを装着した使用参考側面図
【図３】本発明物品の説明用正面図
【図４】本発明物品の説明用正面図
【図５】本発明物品の説明用正面図
【図６】本発明物品の説明用正面図
【図７】本発明物品の説明用平面図
【発明を実施するための最良の形態】
【０００８】顔面又は頭部へ、眼鏡を動かないように固定する為のストッパーで有り、柔軟性を有する樹脂製で、その形状は円筒形状で有り、その周壁面には眼鏡のテンプルが嵌合する第一孔が反対側の周壁にまで貫通され、そして前記第一孔と非同一円周上であって、ほぼ９０度離れた、ヘッドバンド嵌合用の第二孔がこれも反対側の周壁にまで貫通された事を特徴とする連結型ストッパー。
【実施例１】
【０００９】図１は本発明の物品即ち連結型ストッパー１の全体斜視図で有り、図示はしないが言うまでもなく左右二個で一対として使用される、そして、柔軟性を有する樹脂製であり、その形状は円筒形状で有り、その円筒形状の端部近辺１１の周壁面１２にその円周に沿って平行に第一孔１４が設けられる。そしてその第一孔１４は反対側の周壁面にも貫通され同じ形状を有するように穿設される。そしてその第一孔には眼鏡のテンプルエンド１０が嵌合される。勿論、第一孔に固定用のヘッドバンド端部を嵌合してもどちらでも良い。そしてその第一孔に設けられた端部の反対側の端部近辺１７には、第一孔に対して約９０度で見掛け上交わる角度を有する様にされた第二孔１６が、やはり反対側の周壁にまで貫通される。この第二孔１６の場合は眼鏡固定用のヘッドバンド１５の端部嵌合用の穴となる。前記第一孔にヘッドバンドを嵌合した場合は、この第二孔は眼鏡テンプル端部を嵌合する事となる。【００１０】  そして、眼鏡２とヘッドパンド１５と連結型ストッパー１を結合した物品を顔面と頭部に着した図が図２で有り、側頭部近辺ではヘッドバンドにより眼鏡がしっかり保持される事になる。そしてこの連結型ストッパー１は眼鏡テンプル１０につける位置や、ヘッドバンドの付ける位置の調整により更に締め付けの強弱を調整する事が可能となる。【００１１】  次に図３は、本発明の連結型ストッパー１の正面図であるが、水平に嵌合されている眼鏡テンプル１０と垂直に嵌合されているヘッドバンド１５は、眼鏡は眼鏡型の映像装置でも良く、ヘッドバンドはヘッドバンド型の音響装置で有っても良い。【００１２】  又、図４の様に眼鏡テンプル、ヘッドバンドの両方の端部ともに、金属又はプラスチックの板状で有っても良く、図５の様にワイヤー状で有っても、柔軟性を有する樹脂製であるので外れる事は少ない。【００１３】  図５及び６は本発明の他の応用例の正面図であり、第一と第二の貫通孔の位置関係を表す図で有り、見掛け上の交差する角度は９０度が最も好ましいが、６０度〜１２０度で見掛け上交わる角度でも頭部に対する装着や締め付ける強さも問題ない事が解かった。【００１４】図７は本物品の平面図で有り、本発明の連結型ストッパーは柔軟性を有する樹脂製なので、その孔よりも大きい部品、眼鏡のテンプル端部や、ヘッドバンドの端部も嵌合することが可能であり、柔軟性を持ってしっかりと眼鏡を頭部に固定する事が可能である。
【産業上の利用可能性】
【００１５】普通の眼鏡のみならず、眼鏡型の映像機器や、ヘッドホン型音響装置にも応用が可能であり大いなる利用性、利便性の広がりが見えてくる。
【符号の説明】
【００１６】１              連結型ストッパー
２              眼鏡
１０            眼鏡テンプル
１１            端部近辺
１２            周壁面
１４            第一孔
１５            ヘッドバンド
１６            第二孔
１７            端部近辺
【図１】
2014238562.tif 000003
【図２】
2014238562.tif 000004
【図３】
2014238562.tif 000005
【図４】
2014238562.tif 000006
【図５】
2014238562.tif 000007
【図６】
2014238562.tif 000008
【図７】
2014238562.tif 000009